(57)【要約】【課題】上下面に抜ける通気を遮断し、布基礎からの湿気が土台に達するのを防止する建築用気密パッキンを提供する。【解決手段】気密パッキン１は、長手方向に分断された左右２個のパッキン分体２と、プラスチックフィルム３と、弾性材７とからなる。左右のパッキン分体２の間には、プラスチックフィルム３が掛け渡されている。パッキン分体２の表裏両面には、弾性材が突出するように取付けられている。パッキン分体２と、プラスチックフィルム３と、弾性材７とは、一体押出成形によって、一体状態で連続的に製造される。【選択図】  図１
2005023646.tif 000002
【特許請求の範囲】
【請求項１】
長手方向に分断された２個のパッキン分体と、両パッキン分体の間に掛け渡すように取付けられたプラスチックフィルムとからなり、パッキンを上下方向に貫通して流れる通気が遮断されてなる建築用気密パッキン。
【請求項２】
パッキン分体の表裏両面に、弾性材が突出状に取付けられている請求項１記載の建築用気密パッキン。
【請求項３】
弾性材の突出方向が、内方にやや傾いている請求項１記載の建築用気密パッキン。
【請求項４】
長手方向に断面形状が同一で、一体押出成形によって、パッキン分体と、プラスチックフィルムと、弾性材とが一体に付いた状態で製造されている請求項２または３記載の建築用気密パッキン。
【発明の詳細な説明】
【０００１】
【発明の属する技術分野】
この発明は、住宅などの建築物の床下の気密保持の為に、布基礎と土台との間などに介装して使用される建築用気密パッキンに関する。
【０００２】
【従来の技術】
建物用の保温性の確保の為に、気密パッキンを使用することは、既に提案されている（例えば、特許文献１参照）。このパッキンの形態は、扁平な長方形のブロック状のパッキン本体の表裏両面と、前後の端面とには弾性材が付設され、更に、パッキン本体の平面にはアンカーボルト挿通用の適当な大きさの孔が穿設されてなる。
【０００３】
【特許文献１】
登録実用新案第３０７１５７５号公報（第１−７頁、図１−５）
【０００４】
【発明が解決しようとする課題】
ところが、前記従来の気密パッキンでは、パッキン本体にアンカーボルト用の孔が穿設されている為、パッキンを上下方向に抜ける空気流通が可能で、コンクリート製の布基礎からの湿気が、木製の土台の下面に達し、土台を腐蝕させる原因になるという問題がある。更に、従来のものでは、その製造工程が、先ずパッキン本体を個々に作り、このパッキン本体に形成された溝に弾性材を後から嵌め付けるという方式を採っているので、製造コストが高くなるという欠点がある。
【０００５】
本発明は、このような点に鑑み、湿気が上下面に抜けることを防止した建築用気密パッキンを提供するにある。更に、本発明は、製造コストを押えて、廉価に製品を供給できる建築用気密パッキンを提供するにある。
【０００６】
【課題を解決するための手段】
本発明の建築用気密パッキンの技術的手段は、長手方向に分断された２個のパッキン分体と、両パッキン分体の間に掛け渡すように取付けられたプラスチックフィルムとからなり、パッキンを上下方向に貫通して流れる通気が遮断されてなることにある。
【０００７】
また、パッキン分体の表裏両面に、弾性材を突出状に取付けるのがよい。更に、弾性材の突出方向を内方にやや傾けるようにするのが好ましい。また、長手方向に断面形状を同一とし、一体押出成形によって、パッキン分体と、プラスチックフィルムと、弾性材とが一体に付いた状態で製造するようにするのが好ましい。
【０００８】
【発明の実施の形態】
本発明の気密パッキンの実施の形態を、図面の実施例に基づいて説明する。図１は気密パッキン１の斜視図で、使用前の状態である。パッキン１の本体は、硬質乃至比較的硬質のプラスチック製で、左右別体の２つの分体２からなる。両分体２は断面対称形状であり、かつ、柔軟な薄いプラスチック製フィルム３で連結されている。また、分体２には、軽量化の為に、長手方向に孔４が設けられ、また、表裏両面には長手方向に位置決め用の罫書き線５が形成されている。
【０００９】
パッキン分体２の表裏両面の内側端縁には、段部６が設けられ、そこにゴム質などの弾性材７が、上下両面に突出するように取付けられている。なお、段部６の深さは、弾性材７が押し潰されても復元力を失わないように考慮して定め、通常は１〜３ｃｍ程度が適当である。また、弾性材７は、実施例では中空体を用いているが、中実体にしてもよい。更に弾性材７の突出方向を、内方にやや傾けているのは、上下から押圧された時に、弾性材７が確実に内方に倒れ込むようにする為である。
【００１０】
パッキン１は、断面形状が全長に互って同一で、通常は長尺体（実施例では約１ｍ）として提供される。なお、実施例に於ける、パッキン１の厚さは約２０ｍｍ、横幅は約１００ｍｍである。また、本発明のパッキン１は、一体押出成形によって、左右の分体２と、プラスチックフィルム３と、弾性材７とが一体に付いた状態で連続的に製造される。この為、量産が可能で、廉価に提供することができる。
【００１１】
次に使用方法について説明する。図２に示されるように、本件のパッキン１は、布基礎１０の上面に載置し、このパッキン１の更に上面に土台１１を載置する。即ち、パッキン１は、上下両面から布基礎１０と土台１１とによって挟まれた状態となり、上下から押圧力を受けるので、弾性材７は押し潰され、布基礎上面や土台下面との隙間は完全に無くなる。また、パッキン１は、布基礎１０や土台１１の全長に互って配されるので、床下を独立した気密空間とすることができ、各床下は外部との空気流通がない為、保温性に優れたものとなる。なお、図３に示されるように、アンカーボルト１２の位置では、プラスチックフィルム３に適宜、切込み８などを入れて、アンカーボルト１２を通すようにする。
【００１２】
本発明のパッキン１は、プラスチックフィルム３によって、上下が完全に分断されているので、コンクリート製の布基礎１０からの湿気が木製の土台１１に達することがなく、土台１１の腐蝕を防止できる。なお、アンカーボルト１２の位置では、切込み８からの若干の空気流通があるが、従来のように、アンカーボルト用の大きな孔を設けたものに比べて、空気流通量は僅少で、ほとんど無視できる。
【００１３】
本発明は前記の実施例に限定されるものではなく、特許請求の範囲の記載の範囲内で自由に変形実施可能である。特に、パッキン分体２や、フラスチックフィルム３や、弾性材７の材質、形状、取付形式などは自由である。また、実施例では、パッキン１を床下の布基礎１０と土台１１との間に介装したものを示したが、パッキン１の使用箇所はこれに限定されるものではなく、建築物の他の箇所に使用することも勿論可能である。
【００１４】
【発明の効果】
本発明の気密パッキンは、プラスチックフィルムによって上下方向に抜ける通気が遮断されているので、布基礎からの湿気が土台に達することがなく、土台の腐蝕を防止できる。
【００１５】
請求項２のものでは、パッキン分体の表裏に弾性材が付いているので、布基礎や土台との接合面の隙間を完全に遮断できる。この為、床下を独立の気密空間に確保でき、各部屋の保温性の向上を図ることができる。
【００１６】
請求項３のものでは、弾性材の突出方向が、内方へやや傾いているので、上下から押圧された時に、弾性材は確実に内方に倒れ込むように潰されることになり、常に安定よく気密保持を図ることができる。
【００１７】
請求項４のものでは、一体押出成形によって製造するので、長尺のものの連続生産が可能で、量産に適し、廉価に提供可能となる。
【図面の簡単な説明】
【図１】気密パッキンの斜視図。
【図２】使用状態の断面図。
【図３】アンカーボルトの位置での使用状態の断面図。
【符号の説明】
１          気密パッキン
２          パッキン分体
３          フラスチックフィルム
６          段部
７          弾性材
８          アンカーボルト挿通用の切込み
１０        布基礎
１１        土台
１２        アンカーボルト
【図１】
2005023646.tif 000003
【図２】
2005023646.tif 000004
【図３】
2005023646.tif 000005